(57)【要約】【課題】  ストラップの取り付け孔に、ストラップが容易に取り付けられるようにする。【解決手段】  本発明の通し具は、滑らかな平面を有する細長い平板から成る本体と、本体の先端に丸みを帯びさせて形成した挿入部とを備えている。もしくは、挿入部を後端に向けて屈曲させている。そして、それぞれ、本体の後端には、手で把持できるようにして把持部が形成されている。  本発明の通し具付き携帯ストラップは、ストラップに上記通し具を取り付けたものであり、それぞれを脆弱部材で連結させることにより、使用時には通し具をストラップから引き離すことが容易にできるものである。【選択図】    図１
2008289653.tif 000002
【特許請求の範囲】
【請求項１】
携帯電話のストラップ取り付け孔にストラップを取り付ける際に利用される通し具であって、
滑らかな平面を有する細長い平板から成る本体と、
該携帯電話のストラップ取り付け孔に挿入し易いように、前記本体の先端に丸みを帯びさせて形成した挿入部とを備えていることを特徴とする通し具。
【請求項２】
前記挿入部は、前記本体の先端を後端に向けて屈曲させていることを特徴とする請求項１に記載の通し具。
【請求項３】
携帯電話のストラップ取り付け孔にストラップを取り付ける際に利用される通し具であって、紐状の本体の先端を滑らかに形成するとともに、前記取り付け孔に挿通できるように充分な細さを有して形成されていることを特徴とする通し具。
【請求項４】
前記本体の後端に、手で把持できるように、所定サイズの大きさを有して形成した把持部を備えていることを特徴とする請求項１ないし３の何れかに記載の通し具。
【請求項５】
前記把持部は、広告が載せられるスペースを有していることを特徴とする請求項４に記載の通し具。
【請求項６】
請求項１ないし５の何れかに記載の通し具がストラップに設けられていることを特徴とする通し具付き携帯ストラップ。
【請求項７】
前記ストラップと前記通し具とが脆弱部材で連結されていることを特徴とする請求項６記載の通し具付き携帯ストラップ。
【発明の詳細な説明】
【技術分野】
【０００１】
本発明は、ストラップを携帯電話や携帯用の電子機器に取り付ける際に利用される通し具に関する。
【背景技術】
【０００２】
携帯電話や携帯用の電子機器には、ストラップを取り付けるための取り付け孔が設けられている。しかし、その孔の大きさは充分でなく、僅かな隙間が設けられているだけであるから、ストラップをその取り付け孔に通す際には、困難を伴うことがあった。このような事情から、ストラップを通すための通し具、もしくは、実用新案登録公報３１１４５０８号に記載されているような補助具が利用されている。因みに、この公報に記載の補助具は、先端部を楔型にするとともに、所定の強度と柔軟性を備えた素材を使用した板状のものである。
しかし、板状の１枚の部品を２等分に折り曲げるとともに、両端部を合わせ、その合わせ部分を取り付け孔に挿入すること、もしくは、折り曲げ部分を挿入するようにしたのでは、スムーズに挿入できない場合もあった。
【特許文献１】実用新案登録公報３１１４５０８号
【発明の開示】
【発明が解決しようとする課題】
【０００３】
ストラップの取り付け孔に、ストラップが容易に取り付けられるようにする。
【課題を解決するための手段】
【０００４】
請求項１に記載の通し具の発明は、携帯電話のストラップ取り付け孔にストラップを取り付ける際に利用される通し具であって、滑らかな平面を有する細長い平板から成る本体と、該携帯電話のストラップ取り付け孔に挿入し易いように、前記本体の先端に丸みを帯びさせて形成した挿入部とを備えていることを特徴とする。
【０００５】
請求項２に記載の通し具の発明は、前記挿入部が、前記本体の先端を後端に向けて屈曲させていることを特徴とする。
【０００６】
請求項３に記載の通し具の発明は、携帯電話のストラップ取り付け孔にストラップを取り付ける際に利用される通し具であって、紐状の本体の先端を滑らかに形成するとともに、前記取り付け孔に挿通できるように充分な細さを有して形成されていることを特徴とする。
【０００７】
請求項４の発明は、前記本体の後端に、手で把持できるように、所定サイズの大きさを有して形成した把持部を備えていることを特徴とする。
【０００８】
請求項５の発明は、前記把持部に広告が載せられるスペースを有していることを特徴とする。
【０００９】
請求項６に記載の通し具付き携帯ストラップの発明は、請求項１ないし５の何れかに記載の通し具がストラップに設けられていることを特徴とする。
【００１０】
請求項７に記載の発明は、前記ストラップと前記通し具とが脆弱部材で連結されていることを特徴とする。
【発明の効果】
【００１１】
本発明の通し具は、携帯電話や携帯用の電子機器に設けられている取り付け孔に、ストラップを容易に取り付けることができる。
そして、請求項１の発明では、細長い本体の一端を挿入部とするものであるから、折り曲げ部分を挿入する形態と異なり、取り付け孔に挿入し易いものである。
また、挿入部を取り付け孔に挿入した後に、リング状のストラップの根付部を通し、さらに、折り返して、前記挿入部を取り付け孔に挿入する取り付け操作において、挿入部を本体の滑らかな平板上を滑らせるようにして取り付け孔に挿入できるので、ストラップの取り付けがスムーズにできる。
請求項２の発明では、先端部分を屈曲させる手間が省け、これを単に挟むようにして本体の滑らかな平板上を滑らせて、取り付け孔に挿入することができる。
請求項３の発明では、紐状の本体の先端を滑らかに形成することにより、通し具を取り付け孔にスムーズに挿入できる。
請求項４の発明では、挿通具の後端に把持部を備えているので、挿入操作が容易になる。
請求項５の発明では、把持部に広告が載せられるスペースを有しているので、販売時に宣伝効果が見込めるものとなる。
【００１２】
本発明の通し具付き携帯ストラップは、別途、通し具を用意しなくても、取り付け孔にストラップを容易に取り付けることができるものである。
そして、請求項６の発明では、ストラップに通し具が設けられていることにより、挿入操作には、別途通し具を用意する必要がない。
請求項７の発明では、ストラップと通し具とが脆弱部材で連結されているだけであるから、通し具をストラップから引き離すことが容易にできる。
【発明を実施するための最良の形態】
【００１３】
本発明の通し具および通し具付き携帯ストラップについて、図面を参照して詳述する。
図１は、本発明の通し具１０を示したものであり、図１（ａ）は、滑らかな平面を有する細長い平板から成る通し具本体１と、その先端部に丸みを帯びさせて形成した挿入部２と、後端部に把持部３とを設けたものである。
通し具本体１はプラスチック等の可撓性部材で形成されており、折り曲げ自在なものである。また、把持部３は、この通し具本体１に一体的に形成されており、平らで薄い平板である。
【００１４】
図面では、概ね、把持部３を楕円形状のものとして示しているが、特に限定されるものでなく、例えば、人気キャラクターを模して形成（図省略）することもできる。また、把持部３を平坦な平面で形成するようにした場合には、その部分にシール等を貼り付けることができる。このようなシールには、広告等の宣伝事項が記載できるようになるので、宣伝効果が期待できるものとなる。
【００１５】
図１（ｂ）に示す通し具１０は、図１（ａ）の構成と、概ね、同一であるが、挿入部２を後端（把持部３）方向に屈曲させている。この屈曲部位は、屈曲させた状態で熱を加える等の加工が施され、屈曲状態が維持されるようになっている。
【００１６】
図２に示す通し具付き携帯ストラップ２０は、携帯ストラップＡに通し具１０を取り付けたものである。この取り付けについては、例えば、蝋着すること、もしくは紙で結わえる等、適宜実施できるものであり、手で簡単に引き剥がすことができる脆弱部材８で連結されていればよい。そして、取り付け部位については、携帯ストラップＡの根付部５の中央部分がよい。尚、携帯ストラップＡは、通常、留め具７を介して紐状の部材６と根付部５が連結されているだけの構造であるから、例えば、通し具１０を留め具７に取り付けることもできる。
【００１７】
図２中、通し具１０は、紐状の通し具本体の先端を滑らかに形成し、取り付け孔に挿通できるように充分な細さを有したものとして示されている。このように、携帯ストラップＡに取り付けられる通し具１０については、特に限定されるものでなく、図１（ａ）もしくは図１（ｂ）で示した形態の通し具１０であってもよい。
【００１８】
図３ないし図５は、図１（ａ）の形態の通し具１０（第１の実施の形態）を利用して、携帯電話Ｂに携帯ストラップＡを取り付ける方法を説明したものである。
携帯電話Ｂに携帯ストラップＡを取り付ける方法は、先ず、携帯電話Ｂの取り付け孔１１に、通し具１０の挿入部２を挿入（図３参照）させる。次に、通し具１０の挿入部２を携帯ストラップＡの根付部５に挿入（図４参照）させる。この状態で、挿入部２を折り返し、さらに、通し具１０の通し具本体１上を滑らせながら、携帯電話Ｂの取り付け孔１１に挿入させる。その後、通し具１０の通し具本体１と挿入部２との重なり部分を手で摘むようにして引き出す（図５参照）。これにより、携帯ストラップＡの根付部５が携帯電話Ｂの取り付け孔１１に引き込まれるから、携帯電話Ｂに携帯ストラップＡが取り付けられる。
【００１９】
本体の先端を後端に向けて屈曲させて形成した形態の通し具１０（第２の実施の形態）を利用する場合には、先ず、携帯電話Ｂの取り付け孔１１に、通し具１０の挿入部２を引っ掛けて回転させるようにして、挿入部２を挿入する。
そして、携帯ストラップＡの根付部５に挿入部２を挿通した後は、通し具１０の通し具本体１上を滑らせながら、携帯電話Ｂの取り付け孔１１に挿入部２を挿入させる。因みに、この第２の実施の形態における通し具１０では、挿入部２を折り返さなくても、単に上から押し付けるようにして滑らせればよいから操作性がよい。尚、その後の操作については、第１の実施の形態で説明した通りである。
【図面の簡単な説明】
【００２０】
【図１】（ａ）、（ｂ）は、それぞれ、本発明の通し具の説明図である。
【図２】本発明の通し具付き携帯ストラップの説明図である。
【図３】通し具の使用を説明する説明図である。
【図４】通し具の使用を説明する説明図である。
【図５】通し具の使用を説明する説明図である。
【符号の説明】
【００２１】
１  通し具本体
２  挿入部
３  把持部
５  根付部
６  紐状の部材
８  脆弱部材
１０  通し具
１１  取り付け孔
２０  通し具付き携帯ストラップ
【図１】
2008289653.tif 000003
【図２】
2008289653.tif 000004
【図３】
2008289653.tif 000005
【図４】
2008289653.tif 000006
【図５】
2008289653.tif 000007